(57)【要約】      （修正有）【課題】伝送線の伝送距離の制限を克服できる信号調整装置を提供する。【解決手段】信号調整装置１のケーシングには送信端２および受信端となるディスプレイ３と接続される第１のコネクタ１１および第２のコネクタ１６が設けら、第１のコネクタ１１には一時保存を行うバッファ１２が接続され、第２のコネクタ１６には高周波信号の伝送を行うドライバ１５が接続される。バッファ１２には高周波信号の強度を調整する調整可能イコライザ１３が接続され、調整可能イコライザ１３には高周波信号の増幅を行うアンプ１４が接続され、アンプ１４はドライバ１５に接続される。それによって送信端２とディスプレイ３との間を伝送させる信号を増強でき、高周波伝送線の長さに合わせて信号調整装置を調整して高周波伝送線の伝送距離の制限を克服することができる。【選択図】図２
0003126264.tif 000002
【実用新案登録請求の範囲】
【請求項１】
ケーシングに送信端および受信端と接続される第１のコネクタおよび第２のコネクタが設けられ、前記第１のコネクタには信号の一時保存を行うバッファが接続され、前記第２のコネクタには高周波信号の伝送を行うドライバが接続され、
前記バッファには高周波信号の強度を調整する調整可能イコライザが接続され、前記調整可能イコライザには高周波信号の増幅を行うアンプが接続され、これらを経由して前記アンプはドライバに接続されることを特徴とする伝送ケーブルの送信端と受信端との間の信号強度を調整する信号調整装置。
【請求項２】
前記受信端は、テレビであることを特徴とする請求項１記載の伝送ケーブルの送信端と受信端との間の信号強度を調整する信号調整装置。
【請求項３】
前記受信端は、ホストコンピュータであることを特徴とする請求項１記載の伝送ケーブルの送信端と受信端との間の信号強度を調整する信号調整装置。
【請求項４】
前記アンプは、演算アンプであることを特徴とする請求項１記載の伝送ケーブルの送信端と受信端との間の信号強度を調整する信号調整装置。
【請求項５】
前記ドライバは、電源表示灯および接続表示灯と接続されることを特徴とする請求項１記載の伝送ケーブルの送信端と受信端との間の信号強度を調整する信号調整装置。
【考案の詳細な説明】
【技術分野】
【０００１】
本考案は、伝送ケーブルの送信端と受信端との間の信号強度を調整する信号調整装置に関し、特に、信号伝送時の送信端と受信端との間の信号の安定性を高め、ケーブルの長さに合わせて信号調整装置の位置に応じて信号を調整して送信端とディスプレイとの間を伝送する信号を増強でき、伝送線の長さに合わせて信号調整装置を調整して伝送線の伝送距離の制限を克服できる信号調整装置に関する。
【背景技術】
【０００２】
近年、音声データおよび映像データの応用領域には大きな変化が生じ、ビデオディスク、デジタル多機能ディスク、高解像度デジタルテレビ、テレビ電話およびテレビ会議などが我々の生活に浸透してきている。従来の技術と比較してこれらの新しいシステムのアーキテクチャの特徴は、オールデジタル化によってデータが処理される点にあり、異なる領域の応用需要が発生するに伴って、関連する規格も絶えず制定および修正がなされている。例えば、ＤＶＩ規格はディスプレイカードシステムとディスプレイシステムとを接続する規格であり、特に完全デジタルのディスプレイ装置において、一つのＤＶＩシステムは、送信機および受信機を備え、送信機はディスプレイカードシステムに内蔵することができる。ＤＶＩはＴＭＤＳ（Transition Minimized Differential Signaling）に基づいて設立されたものであり、ＴＭＤＳは一種の信号分割メカニズムであり、画素データをエンコードでき、シリアル接続を通じて信号の伝送を行い、伝送される信号は３〜６個のデータチャンネル対および一つの周波数信号対を備える。仮にＤＶＩチャンネルディスプレイカードが備えるＴＭＤＳ伝送装置およびＤＶＩインターフェイスがデジタルディスプレイを駆動するとき、さらに高解像度の画面を駆動することができる。使用者にさらに優れた品質を提供するために、関連業者はデジタル信号伝送の周波数帯を高め、使用者に優れた画質および音質を提供する。
【０００３】
初期のアナログテレビにおいてはすべてアナログ信号によって伝送が行われ、アナログ信号は低周波電波を伝送インターフェイスとしており、低周波の特性は、一度に一つの信号しか伝送できず、それによってアナログテレビの画質は鮮明ではなかった。その後、業者はデジタルテレビを開発した。デジタルテレビは高画質という長所を備え、また、一度に大量の映像を伝送するために、高周波インターフェイスによって伝送を行う必要がある。高周波インターフェイスはＨＤＭＩ上で応用され、ＨＤＭＩは、映像および音声の伝送インターフェイスと称され、デジタルテレビ、ＤＶＤ再生装置、セットトップボックスおよびその他のデジタル視聴製品に使用される。高品質の状況の下、デジタル方式によって未圧縮の高解像度ビデオデータおよび多チャンネルのオーディオデータを伝送し、最高伝送速度は５Ｇｂｐｓである。ＨＤＭＩの長所は、デジタル品質が未圧縮であること、使用ケーブルが少ないこと、コネクタが小さいこと、使用するインターフェイスが親和性を備えることなどがある。仮に、一本の高周波伝送線を分配器によって多くの使用者に分配し、受信機と送信機との距離が遠い場合、信号は長さに応じて減衰し、映像がノイズ干渉を受け、優れた映像を表示できず、高周波インターフェイスを各領域に応用することができない。ケーブルが高周波信号を伝送するとき、ノイズ信号が発生するのを防止するために、デジタルテレビの信号送信または信号受信の位置には信号調整装置が設置され、デジタルテレビにおける距離が遠くなればなるほど、信号が弱くなるという問題を解決し、長い距離でも安定性および正確性を達成している。
【０００４】
確かに新しい伝送インターフェイスが開発されているが、伝送線の長さに関する制限は解決が難しく、信号調整装置を送信端または受信端に設置して高周波信号の周波数および信号強弱の調整を行うことができるが、ケーブルは一定の長さの下でしか使用できず、ケーブルの長さに合わせて信号調整装置の位置を調整することはできず、ケーブルの長さまたは信号調整装置の位置を変更する場合、非常に不便である。
【０００５】
上述の従来技術における欠点を解決することが当該技術に従事するものが研究開発の目標とした事項であり、本考案の考案者も弛まぬ研究改良を行い、それによって本考案の信号調整装置を案出した。
【特許文献１】特開２００５−３１８４５９号公報
【考案の開示】
【考案が解決しようとする課題】
【０００６】
本考案の主な目的は、伝送時の送信端と受信端との間の安定性を高めることができ、ケーブルの長さに合わせて信号調整装置の位置を調整して送信端とディスプレイとの間を伝送する信号を増強でき、伝送線の長さに合わせて信号調整装置を調整して伝送線の伝送距離の制限を克服できる信号調整装置を提供することにある。
【課題を解決するための手段】
【０００７】
上述の課題を解決するために、請求項１の考案は、ケーシングが設置され、ケーシングには二つ以上の予め設けられた送信端および予め設けられたディスプレイと接続される第１のコネクタおよび第２のコネクタが設けられ、第１のコネクタには一時保存を行うバッファが接続され、第２のコネクタには高周波信号の伝送を行うドライバが接続され、バッファには高周波信号の強度を調整する調整可能イコライザが接続され、調整可能イコライザには高周波信号の増幅を行うアンプが接続され、アンプはドライバに接続されることを特徴とする信号調整装置である。
【０００８】
請求項２の考案は、予め設けられたディスプレイは、テレビであることを特徴とする請求項１記載の信号調整装置である。
【０００９】
請求項３の考案は、予め設けられたディスプレイは、ホストコンピュータであることを特徴とする請求項１記載の信号調整装置である。
【００１０】
請求項４の考案は、アンプは、演算アンプであることを特徴とする請求項１記載の信号調整装置である。
【００１１】
請求項５の考案は、ドライバは、電源表示灯および接続表示灯と接続されることを特徴とする請求項１記載の信号調整装置である。
【考案の効果】
【００１２】
先ず、使用者が電源をオンにすることによって、電源表示灯が点灯して電源が信号調整装置に供給される。第１のコネクタおよび第２のコネクタが高周波伝送線を通じて送信端およびディスプレイとそれぞれ接続されたとき、接続表示灯が点灯する。送信端が高周波信号を第１のコネクタに送信したとき、第１のコネクタは高周波信号をバッファ内に一時保存し、その後調整可能イコライザ内に伝送し、調整可能イコライザは高周波信号を強化およびフィルタリングした後、アンプに送信し、アンプはこの高周波信号を増幅させた後、ドライバ内に伝送し、ドライバはこの高周波信号を第２のコネクタからディスプレイに送信し、それによって送信端とディスプレイとの間を伝送される信号は増強され、高周波伝送線の長さに合わせて信号調整装置を調整でき、伝送線の伝送距離の制限の問題を解決する。
【考案を実施するための最良の形態】
【００１３】
本考案の目的および効果を達成するために採用した技術手段およびその構造を示す実施例を図に沿って詳細に説明する。
【００１４】
図１は、本考案を示す斜視図である。図２は本考案を示すブロック図である。図から分かるように、本考案の信号調整装置はケーシング１を備え、ケーシング１は第１のコネクタ１１、バッファ１２、調整可能イコライザ１３、アンプ１４、ドライバ１５および第２のコネクタ１６を備える。
【００１５】
第１のコネクタ１１は送信端２から送信された信号を受信できる。
【００１６】
バッファ１２は、第１のコネクタ１１と接続され、バッファ１２は第１のコネクタ１１から伝送された高周波信号を一時保存するのに使用される。
【００１７】
調整可能イコライザ１３は、高周波信号の強度を調整する機能を備え、調整可能イコライザ１３はバッファ１２に接続される。
【００１８】
アンプ１４は、高周波信号を増幅する機能を備え、アンプ１４は調整可能イコライザ１３に接続されて、アンプ１４は演算アンプとすることができる。
【００１９】
ドライバ１５は、アンプ１４から発信された高周波信号を受信し、ドライバ１５はアンプ１４に接続され、さらに電源表示灯１５１および接続表示灯１５２にそれぞれ接続される。
【００２０】
第２のコネクタ１６は、ライバ１５と接続され、第２のコネクタ１６はドライバ１５が伝送した高周波信号を受信した後、その信号を送信する。
【００２１】
ディスプレイ３は、テレビまたはホストコンピュータである。
【００２２】
図２、３に示すように、本考案が電子製品に接続されて高周波信号の伝送を行うとき、先ず使用者が電源をオンにすることによって、電源表示灯１５１が点灯して電源が信号調整装置に供給される。第１のコネクタ１１および第２のコネクタ１６が高周波伝送線４を通じて送信端２およびディスプレイ３とそれぞれ接続されたとき、接続表示灯１５２が点灯する。送信端２が高周波信号を第１のコネクタ１１に送信したとき、第１のコネクタ１１は高周波信号をバッファ１２内に一時保存し、その後調整可能イコライザ１３内に伝送し、調整可能イコライザ１３は高周波信号を強化およびフィルタリングした後、アンプ１４に送信し、アンプ１４はこの高周波信号を増幅させた後、ドライバ１５内に伝送し、ドライバ１５はこの高周波信号を第２のコネクタ１６からディスプレイ３に送信し、それによって送信端２とディスプレイ３との間を伝送される信号は増強され、高周波伝送線４の長さに合わせて信号調整装置を調整でき、伝送線の伝送距離の制限の問題を解決する。
【００２３】
本考案の信号調整装置が従来技術を解決できる重要な技術として、本考案は送信端２と受信端との間の信号伝送時の安定性を増強できる信号調整装置であり、送信端２と受信端との間はケーブルの長さに合わせて信号調整装置の位置を調整して送信端２とディスプレイ３との間を伝送させる信号を増強でき、高周波伝送線４の長さに合わせて信号調整装置を調整して高周波伝送線４の伝送距離の制限を克服できる。
【００２４】
上述の詳細な説明は本考案の一実施例を示すものであり、本実施例は本考案の請求の範囲を制限するものではなく、本考案の主旨を逸脱しない範囲における変更および修飾はすべて本考案の範囲に含まれる。
【００２５】
上述の説明から分かるように、本考案の信号調整装置は使用時における効果が従来技術によるものよりも優れ、新規性および進歩性を備えた考案である。
【図面の簡単な説明】
【００２６】
【図１】本考案を示す斜視図である。
【図２】本考案を示すブロック図である。
【図３】本考案の実施状態を示す斜視図である。
【符号の説明】
【００２７】
１    ケーシング
１１  第１のコネクタ
１２  バッファ
１３  調整可能イコライザ
１４  アンプ
１５  ドライバ
１５１電源表示灯
１５２接続表示灯
１６  第２のコネクタ
２    送信端
３    ディスプレイ
４    高周波伝送線
【図１】
0003126264.tif 000003
【図２】
0003126264.tif 000004
【図３】
0003126264.tif 000005